(57)【要約】      （修正有）【課題】便利で使いやすいコースレイアウトブック置き台を、バスケットに設置できるようにする。【解決手段】コースレイアウトブックを載せるためのブック載置部２と、このブック載置部のＸ方向中央部に設けられた複数の小孔２ａと、ブック載置部のＹ方向中央部の左右両端側にそれぞれ設けられた切り欠き部２ｂと、ブック載置部のＸ−Ｙ面に対して直角方向（Ｚ方向）に延びる桟３と、乗用ゴルフカーに設置されたバスケットへの装着用ボルト挿入孔５ａを有したフランジ部とを備え、複数の小孔２ａの位置は前記コースレイアウトブックに設けられた綴じ込み用の孔に対応しており、この孔と前記小孔とに係止部材を貫通可能ならしめるとともに、前記ブック載置部と前記桟と前記フランジ部とが一体化されている。【選択図】図１
0003104171.tif 000002
【実用新案登録請求の範囲】
【請求項１】
コースレイアウトブックを載せるためのブック載置部と、このブック載置部のＸ方向中央部に設けられた複数の小孔と、前記ブック載置部のＹ方向中央部の左右両端側にそれぞれ設けられた切り欠き部と、前記ブック載置部のＸ−Ｙ面に対して直角方向（Ｚ方向）に延びる桟と、乗用ゴルフカーに設置されたバスケットへの装着用ボルト挿入孔を有したフランジ部とを備え、前記複数の小孔の位置は前記コースレイアウトブックに設けられた綴じ込み用の孔に対応しており、この孔と前記小孔とに係止部材を貫通可能ならしめるとともに、前記ブック載置部と前記桟と前記フランジ部とが一体化されていることを特徴とする、乗用ゴルフカー用コースレイアウトブック載置台。
【請求項２】
前記ブック載置部と前記桟と前記フランジ部の内、少なくとも前記ブック載置部は透明樹脂で構成され、前記桟に筆記用具挿入用の孔が設置されたことを特徴とする、第１項記載の乗用ゴルフカー用コースレイアウトブック載置台。
【考案の詳細な説明】
【技術分野】
【０００１】  本考案は、ゴルフ場で使用される乗用ゴルフカーの用品に係わり、この乗用ゴルフカーに設置されたバスケットに装着する、コースレイアウトブック載置台に関するものである。
【背景技術】
【０００２】  最近のゴルフ場においては、乗用ゴルフカーに搭乗したプレーヤーが、コースレイアウトブックにしたがってプレーすることが行われるようになってきた。コースレイアウトブックには、当該ゴルフ場のコースレイアウト、攻略ポイントやパー打数、その他諸々の情報が記載され、キャディーなしのプレーができるように配慮されている。
前記コースレイアウトブックは、印刷物を透明の樹脂フィルムでラミネートしているものが多い。通常は乗用ゴルフカー運転席の前面に設置したバスケットに、コースレイアウトブックをコース順に揃えて入れておき、必要なときに取り出し、これを見ながら運転し移動する。もしくは乗用ゴルフカーの同乗者が、コースレイアウトブックを見ながら運転者に次の行動を告げ、これにしたがって運転していた。
しかしながら、同乗者のプレー毎の成績等をメモ紙等に記載する際には、ボールペン等の筆記用具をバスケット内に準備して使用するが、バスケットの網目は粗いため落下しやすく、自分のポケットに入れておいて取り出し使用する場合には、ポケットに入れ忘れやすい問題もあった。また、バスケットに固定したクリップボードにメモ紙を挟んでおき、クリップボードを下敷にする方法もあるが、不便であった。
【考案の開示】
【考案が解決しようとする課題】
【０００３】  本考案はこの点に鑑み、便利で使いやすいコースレイアウトブック載置台を、バスケットに設置できるようにするものである。
【課題を解決するための手段】
【０００４】  コースレイアウトブックを載せるためのブック載置部と、このブック載置部のＸ方向中央部に設けられた複数の小孔と、前記ブック載置部のＹ方向中央部の左右両端側にそれぞれ設けられた切り欠き部と、前記ブック載置部のＸ−Ｙ面に対して直角方向（Ｚ方向）に延びる桟と、乗用ゴルフカーに設置されたバスケットへの装着用ボルト挿入孔を有したフランジ部とを備え、前記複数の小孔の位置は前記コースレイアウトブックに設けられた綴じ込み用の孔に対応しており、この孔と前記小孔とに係止部材を貫通可能ならしめるとともに、前記ブック載置部と前記桟と前記フランジ部とが一体化されていることを特徴とする、乗用ゴルフカー用コースレイアウトブック載置台により解決できる。
さらに好ましくは、前記ブック載置部と前記桟と前記フランジ部の内、少なくとも前記ブック載置部は透明樹脂で構成され、前記桟に筆記用具挿入用の孔が設置されたことを特徴とする、第１項記載の乗用ゴルフカー用コースレイアウトブック載置台により解決できる。
【考案の効果】
【０００５】  したがって本考案によれば、便利で使いやすいコースレイアウトブック載置台を、バスケットに設置できる。
【考案を実施するための最良の形態】
【０００６】  以下、図面を参照して本考案の実施形態について説明する。
【実施例１】
【０００７】  図１は本考案になるブック載置台の第一の実施例を示す斜視図である。
ブック載置台１は、合成樹脂、好ましくは透明アクリル樹脂の板を折り曲げてブック載置部２、延長部４、フランジ部５を形成し、ブック載置部２の下方位置に桟３をＺ方向に直立接着した構成である。桟３も同一の合成樹脂材料としている。ブック載置部２の中央に複数の係止用小孔２ａを、左右両端に切り欠き部２ｂをそれぞれ設け、フランジ部５にはボルト挿入孔５ａを設けている。係止用小孔２ａの上下方向間隔は、書類に孔を開けるための事務用パンチ孔と同一寸法に設定するのが好適である。
桟３には孔３ａを複数設けており、ボールペンやサインペン等の筆記用具を差し込むためのもので、その位置は左右両側、あるいは全面に亘って設置してもよく、任意である。なお孔３ａを設けず、桟３の平面部にこれらの筆記用具を載せるようにしてもよい。この場合には、脱落防止用の縁を設置するのが好適である。
図２は、ブック載置台の使用例を示す斜視図である。
６は事務用のパンチで穿孔された小孔を有したコースレイアウトブックで、ブック載置部２の平面に立てかけられ、前記小孔と係止用小孔２ａとに貫通するよう、係止リング７が挿入されている。係止リング７は、小孔２ａの内径より細い線径で円形状の、例えば図３に示すものが好適である。８はボールペンやサインペン等の筆記用具であり、孔３ａに差し込まれている。
係止リング７の一例を、図３で説明する。Ａはリング部分を閉じた状態、Ｂは開いた状態を示す平面図である。
係止リング７は、合成樹脂等の変形しやすい材料で製作した２個の同一リング部７１を、裏表逆にしてピン７２で回転自在に連結したものである。リング部の下端付近には、孔部７３ａ、７３ｂ、凸部７４ａ、７４ｂが形成され、Ｂのようにピン７２を支点として矢印方向に開閉でき、お互いに孔部と凸部とが係合、離脱できるようになっている。この係止リング７は、合成樹脂製に限定するものではなく、金属製でもよいし、また形状が異なっていてもよいことは勿論である。
例えば１８ホールのゴルフコースの場合、コースレイアウトブック６である１８枚のラミネートされた印刷物に、事務用のパンチで孔を開けておき、最初が１頁目となるようブック載置部２の小孔２ａに合わせて載置した後、前記パンチ孔と小孔２ａとに係止リング７を通せば、図２のような状態となる。
ブック載置部２の左右に切り欠き２ｂを設けているため、この部分でコースレイアウトブック６の裏面に指を挿入でき、頁をめくる際に便利である。また、メモ紙やパンフレット等にパンチ孔を開け、最後の頁に入れて一緒に係止リング７を通しておけば、筆記用具８を孔３ａから取り出し、即座に同乗者のプレー毎の成績等を記入することができる。
ブック載置部２を透明のアクリル樹脂製としたため、コースレイアウトブック６の載っていない部分は前方の視界が効く利点がある。
図４に本考案のブック載置台を、乗用ゴルフカーに装着した状態を示す。
１２は乗用ゴルフカーで、運転席の前面にバスケット１３が設置され、このバスケット１３にブック載置台１が取り付けられている。図５に、その装着方法を示す。
ブック載置台１のフランジ部５に設けられたボルト挿入孔５ａにボルト１０を通し、バスケット１３の網目をふさぐようにワッシャ９とナット１１とにより固定する。
【実施例２】
【０００８】  図６に、本考案ブック載置台の第二の実施例斜視図を示す。
乗用ゴルフカーの製作会社は各社あり、バスケットの形状、寸法も種々ある。これらに対応するため、ブック載置部２、桟３、延長部４、フランジ部５の組み合わせ状態が、図１で示したものとは異なる。
ブック載置部２の小孔２ａ、切り欠き部２ｂ、桟３の位置は図１と同一にし、延長部４をブック載置部２と同一平面とし、さらに延長して折り曲げたフランジ部５を形成している。バスケットへのボルト挿入孔５ａは、図１と同様の長孔形状で、対象バスケットの網目に対応する寸法、及び位置に設定している。
【実施例３】
【０００９】  図７に、本考案ブック載置台の第三の実施例斜視図を示す。
ブック載置部２の小孔２ａ、切り欠き部２ｂ、桟３の位置は図１と同一にし、延長部を折り曲げて桟３を形成し、Ｌ字状に折り曲げたフランジ部５を、ブック載置部２の裏面に接着している。バスケット１３への装着用ボルト挿入孔５ａは、図１と同様の長孔形状で、対象バスケットの網目に対応する寸法、及び位置に設定している。
第一の実施例では、ブック載置部２と桟３とフランジ部５とを、透明アクリル樹脂板で形成しているため、コースレイアウトブック６の載っていない部分は前方の視界が効く利点がある。なお、ブック載置部２のみを透明アクリル樹脂とし、他の部分を別材料で構成してもよい。
第二の実施例では、桟３のみを透明アクリル樹脂以外の材料としてもよいし、第三の実施例においては、ブック載置部２と桟３を透明アクリル樹脂、フランジ部５を別材料で構成してもよい。
【図面の簡単な説明】
【００１０】
【図１】本考案ブック載置台の第一の実施例斜視図。
【図２】ブック載置台の使用例を示す斜視図。
【図３】係止リングの一例を示す平面図で、Ａはリング部分を閉じた状態、Ｂは開いた状態を示す図。
【図４】本考案のブック載置台を、乗用ゴルフカーに装着した状態を示す斜視図。
【図５】ブック載置台をバスケットに取り付けた状態の断面図。
【図６】本考案ブック載置台の第二の実施例斜視図。
【図７】本考案ブック載置台の第三の実施例斜視図。
【符号の説明】
【００１１】      １…ブック載置台
２…ブック載置部
２ａ…小孔
２ｂ…切り欠き部
３…桟
５…フランジ部
５ａ…ボルト挿入孔
６…コースレイアウトブック
７…係止リング
８…筆記用具
１２…乗用ゴルフカー
１３…バスケット
【図１】
0003104171.tif 000003
【図２】
0003104171.tif 000004
【図３】
0003104171.tif 000005
【図４】
0003104171.tif 000006
【図５】
0003104171.tif 000007
【図６】
0003104171.tif 000008
【図７】
0003104171.tif 000009